(57)【特許請求の範囲】
【請求項１】
被検体に存在する脈管又は脈管領域に沿って配置されている相次ぐ走査ステーションであって、少なくとも第１及び第２の走査ステーションを含む相次ぐ走査ステーションの各々において磁気共鳴（ＭＲ）データを取得することにより、被検体に存在する脈管に関連する構造をイメージングする末梢ＭＲアンジオグラフィを実行するＭＲ装置であって、
ボーラスが前記第１の走査ステーションへ流れ、その後、前記第２の走査ステーションへ流れるように前記被検体に注射された造影剤の前記ボーラスを到着を前記第１の走査ステーションで検出する手段と、
前記第１の走査ステーションでの前記ボーラスの到着の検出に応答して前記第１の走査ステーションに関連する第１のＭＲデータ集合の最初の部分を取得する手段と、
前記ボーラスが前記第２の走査ステーションに到達したか否かを判定する前記第２の走査ステーションを監視する手段と、を備え、
前記取得する手段は、前記監視する手段が、前記ボーラスが前記第２の走査ステーションに到達したと判定した場合、前記第２の走査ステーションに関連する第２のＭＲデータの少なくとも一部を取得するように構成されており、
前記取得する手段は、前記監視する手段が、前記ボーラスが前記第２の走査ステーションに到達したと判定されたとき、前記第１の走査ステーションに関連するＭＲデータの取得を中断し、前記第２の走査ステーションに関連する第２のＭＲデータ集合の少なくとも一部のデータを取得するように構成され、
前記取得する手段は、前記監視する手段が、前記ボーラスが前記第２の走査ステーションに未だ到達していないと判定したとき、前記第１のＭＲデータ集合のデータ取得を続行するように構成されていることを特徴とするＭＲ装置。
【請求項２】
前記第１のＭＲデータ集合の前記最初の部分は、中央ｋ空間データを含んでいる請求項１に記載のＭＲ装置。
【請求項３】
前記監視する手段は、前記造影剤に応答するＭＲ検出器を、前記脈管に接近した関係に且つ前記第２の走査ステーションに隣接するように配置し、前記第２の走査ステーションにおける前記造影剤の量が所定の閾値を上回ったときに信号を発生するように前記検出器を設定する請求項２に記載のＭＲ装置。
【請求項４】
前記監視する手段は、前記脈管及び前記第２の走査ステーションに隣接した領域からＭＲデータを高速取得する手段と、前記第２の走査ステーションに位置する脈管が前記造影剤で充填されたか否かを判定するために操作者により利用される実時間画像を、前記高速取得されたＭＲデータから構成する手段と、を含んでいる請求項２または３に記載のＭＲ装置。
【請求項５】
前記脈管はイメージング対象の被検体に存在する動脈を含んでいて、ＭＲ走査装置と、前記イメージング対象の被検体を支持しているテーブルとが設けられている場合において、該テーブルが、前記走査ステーションのうち所与の１つのステーションに関連するＭＲデータを取得するために、前記走査装置に対して前記イメージング対象の被検体を選択的に位置決めするように作動される請求項２に記載のＭＲ装置。
【発明の詳細な説明】
【０００１】
【発明の属する技術分野】
本発明は、一般的には、磁気共鳴（ＭＲ）アンジオグラフィ、即ち血液又は他の体液を通す動脈などの脈管のＭＲイメージング方式に関する。より具体的には、本発明は、比較的長さの長い脈管に沿って隔設されたいくつかの走査位置又は走査ステーションの各々においてＭＲデータが取得される上述の種類のイメージング方式に関する。更により具体的には、本発明は、或る量の造影剤、即ちボーラス（bolus ）が脈管又は他の導管に沿ってステーションからステーションへ移動している場合に、実質的にボーラスが特定のステーションに位置しているときのみ該特定のステーションでＭＲデータを確実に取得するための処置が取られるようにした上述の種類のイメージング方式に関する。
【０００２】
【従来の技術】
現在、ＭＲアンジオグラフィにおいて、血管に沿って流れる血液に或る特定量の造影剤、例えばガドリニウムのキレートを注入することは周知の手法である。この特定体積又は質量の造影剤は「ボーラス」と呼ばれ、血液のＴ1 時間を短縮する効果を有する。このようにして、高速グラディエント・エコー法又は類似の手法によって取得された血液のＭＲ画像が、血管構造の隣接する静止組織に対して極めて良好に表現される。
【０００３】
また、いくつかの臨床的評価検査では、比較的長さの長い脈管領域をイメージングすることが必要になることも周知である。従って、これらの評価にＭＲを利用する際には、脈管の流路に沿って間隔を空けて配置されているいくつかのステーション又は走査位置にわたってＭＲデータを取得することが必要になる。ある特定のステーションにおいてデータを取得するために、典型的には患者を支持しているテーブルの移動によって、患者がＭＲスキャナに対して選択的に位置決めされる。次いで、この特定の走査位置又はステーションを含んでいる患者の領域又は部分について取られる一連のスライスからデータが取得される。この後、他の走査位置又はステーションを含んでいる患者の他の部分からデータを取得できるように、患者はスキャナに対して移動される。造影剤のボーラスの注入と組み合わせて以上の手順を採用しているＭＲアンジオグラフィは、ボーラス追跡式末梢ＭＲアンジオグラフィ（bolus chasing peripheral MR angiography ）と呼ばれることもある。
【０００４】
現在、末梢ＭＲアンジオグラフィ検査に関連して造影剤を用いるとき、第１のステーションは、関心のある脈管に沿って、ボーラスが最初に到達する患者の部分になるように選択される。第１のステーションでの走査が完了すると、通常、データの取得は次の走査ステーションへ移動する。しかしながら、次のステーションに移動する最も適当な時刻は、正確にはわからない。例えば、血流が遅い場合に、次の走査ステーションの位置にある末端の脈管構造は、造影剤で充たされる適切な時間がないことがある。他方、流速が予測よりも速い場合には、造影剤がデータ取得の開始前に次の走査ステーションに隣接した静止組織に移動している傾向を有する。いずれの場合にも、移動する液体と静止組織との間のコントラストは、次の走査ステーションでは大幅に低下するおそれがある。更に、流速が過度に遅い場合でも又は過度に速い場合でも、これに起因して、イメージングが後続の走査ステーションに進むにつれて、また走査ステーションの総数が増大するにつれて、望ましくない影響が次第に大きくなる傾向を生じる。
【０００５】
【発明の概要】
本発明は、一般的には、患者の体内の比較的長い動脈などの脈管に関連する構造をイメージングするための末梢ＭＲアンジオグラフィ方式であって、脈管に沿って配置されている複数の走査ステーションの各々においてＭＲデータを取得すべきである方式を対象とする。この方式では、静脈注射を介して血液に造影剤を注入して、第１及び第２のステーションへ相次いで流れるボーラスを供給することを含む。この方式は更に、第１のステーションに関連した第１のＭＲデータ集合(data set)の最初の部分を取得し、第２のステーションを監視してボーラスが到達したか否かを決定することを含む。この監視により、ボーラスが第２のステーションに実際に到達したことが判定された場合、第２のステーションに関連した第２のデータ集合のＭＲデータの少なくとも一部が取得される。しかしながら、ボーラスが第２のステーションに未だ到達していないと判定された場合は、第１のステーションで更にデータの取得が続行される。
【０００６】
本発明の好ましい態様では、第１の走査位置で最初に取得されたＭＲデータの部分は中央ｋ空間データを含んでおり、脈管はイメージング対象の被検体に存在する動脈を含んでいる。更に、このＭＲ方式には、ＭＲ走査装置と、イメージング対象の被検体を支持するテーブルとが関連しており、第１及び第２の走査ステーションにそれぞれ関連するＭＲデータ集合を取得するために、テーブルは走査装置に対して被検体を選択的に位置決めするように作動される。
【０００７】
本発明の有用な態様では、上記の第２のステーションの監視のために、造影剤に応答するＮＭＲモニタ手段を、脈管に接近した関係で且つ第２のステーションに隣接するように配置し、そして該監視手段を、第２のステーションでの造影剤の量が所定の閾値を上回ったときに信号を発生するように設定する。
本発明のもう１つの有用な態様では、上記の第２のステーションの監視のために、脈管に隣接し且つ第２の走査ステーションに隣接した領域からＭＲデータを高速取得し、次いで、この高速取得したデータから画像を高速再構成する。次いで、操作者によって、高速取得された画像を単純に目視検査することにより、第２の走査ステーションでの造影剤の量を容易に判定することができる。
【０００８】
【発明の目的】
本発明の目的は、かなりの長さのある動脈などの脈管を対象とする末梢ＭＲアンジオグラフィのより最適化された方式を提供することにある。
もう１つの目的は、脈管に沿って隔設されている一連の走査ステーションの各々の走査ステーションにおけるデータ取得が、造影剤のボーラスの走査ステーションへの到達と時間的に実質的に同期しているような上述の種類の方式を提供することにある。
【０００９】
もう１つの目的は、脈管流路に沿った相次ぐ走査ステーションにおいてボーラスの到達を追跡する上述の種類の方式を提供することにある。
もう１つの目的は、ボーラスがカレントの走査ステーションから次の走査ステーションへ移動したか否かに関する評価を行い、この評価に従って、データ取得を次のステーションに移動するか又は現在のステーションで続行するかのいずれかにするような上述の種類の方式を提供することにある。
【００１０】
本発明のこれらの及びその他の目的及び利点は、図面を参照した以下の記載からより容易に明らかとなろう。
【００１１】
【発明の実施の形態】
図１には、本発明に従ってＭＲデータを取得するように動作することのできるＭＲシステム又はスキャナ１０の基本的な構成要素が示されている。システム１０は、ＲＦ送信コイル１２と、ボア（中孔）内に主磁場又は静磁場Ｂ0 を形成する円筒形マグネット１４とを含んでいる。ＲＦコイル１２は、ＭＲ信号を発生させるために、マグネットのボア内に位置する患者又は他のイメージング対象の被検体１６に対してＲＦ励起信号を送信するように動作する。システム１０は更に、直交するＸ基準軸、Ｙ基準軸及びＺ基準軸に対してそれぞれＧx 磁場勾配、Ｇy 磁場勾配及びＧz 磁場勾配を発生させる勾配コイル１８、２０及び２２を含んでいる。図１は、勾配コイル１８、２０及び２２の各々が勾配増幅器２４、２６及び２８によってそれぞれ駆動され、ＲＦコイル１２が送信増幅器３０によって駆動されていることを示している。図１は更に、受信増幅器３８と関連して動作し、被検体１６からＭＲ信号を取得するＲＦコイル４０を示している。構成によっては、コイル４０及びコイル１２は、イメージング・シーケンス中に交互のモードで動作する同一のＲＦコイルであってよい。システム１０には更にパルス・シーケンス制御器３２が設けられており、パルス・シーケンス制御器３２は、ＲＦ増幅器及び勾配増幅器を制御することにより、ＭＲ信号の集合(set) を発生させて取得するためのパルス・シーケンスを作成するように動作する。システム１０はまた、システム制御及びデータ処理装置３４を含んでおり、この装置３４は、本発明に従ってシステム１０のそれぞれの構成要素を動作させてＭＲデータを取得すると共に、このＭＲデータの画像を構成する。ＭＲシステム１０の各構成要素の構造、作用及び相互関係は周知であり、１９９７年９月３０日発行の米国特許第５，６７２，９６９号等の従来技術に記載されている。
【００１２】
図１には更に、被検体１６が、ＭＲシステム１０のＺ軸に沿って摺動する又は並進することが可能なテーブル３６又は類似物に支持されることが示されている。このようにして、被検体１６を、主マグネット１４のボアの内部に選択的に位置決めすることができる。テーブルの移動は、コンピュータの制御下にあり、マグネットのボアのＺ軸に沿ってテーブルの位置を精密に制御することができ、また再現することができる。
【００１３】
次に、図２には、マグネット１４内でテーブル３６に支持されている被検体１６の更に詳細な図が示されている。更に詳しく述べると、図２は、かなりの長さのある血管又は脈管領域４４を有している患者又は被検体１６を示している。この場合には、末梢の動脈の臨床的な評価検査には、被検体の腹部から下肢にかけて広がる広範囲の視野のイメージングが必要となる。この評価は、腹部の大動脈、腸骨付近の動脈、大腿動脈、膝窩動脈、脛腓骨動脈及び足の動脈の各部を含んでいる。広範囲の脈管領域４４の全体としてのＭＲ画像データを取得することが望ましい。しかしながら、脈管領域４４にはかなりの長さがあるので、被検体１６とＭＲシステム１０の各構成要素との間に複数の走査位置又は走査ステーションを設定することによりデータを取得することが必要である。
【００１４】
これにより、図２に、被検体１６の一部分又は領域をそれぞれ含んでいる走査ステーション４６、４８及び５０を示す。更に詳しく述べると、走査ステーション４６は、被検体１６の上体の胴区域（腹部）を含んでおり、走査ステーション４８は、被検体１６の下半身の胴区域（骨盤及び大腿）を含んでおり、走査ステーション５０は、被検体１６の下方の肢部（ふくらはぎ及び足）を含んでいる。特定の走査ステーションに関連するＭＲデータを取得するために、テーブル３６を移動させて、特定の走査ステーションを主マグネット１４と特定の関係になるように配置する。例えば、図２は、走査ステーション４６の中央点がマグネット１４のアイソセンタ(isocenter) ４２に配置されているのを示している。
【００１５】
従来の構成では、脈管４４のうちの走査ステーション４６内に位置している部分に関連するＭＲデータ集合の全体が、この走査ステーションが図２に示す位置にある間に取得されていた。次いで、テーブル３６は、被検体１６を図２で見て左へ並進させて、走査ステーション４８の中央点をイソセンタ４２に位置決めする。脈管４４のうちの走査ステーション４８の内部にある部分に関連するデータ集合の全体を走査した後に、被検体を更に並進させて、走査ステーション５０の中央点をイソセンタ４２に位置決めする。次いで、走査ステーション５０に関連するデータ集合が走査されて、データ取得手順が完了していた。図２から、隣接した走査ステーションの間には、一定の量の重なりが生じ得ることがわかる。
【００１６】
前述したように、ＭＲアンジオグラフィにおいて、脈管４４内を流れる血液５２に、造影剤、例えば２０ｃｃのガドリニウムのキレートを静脈注射することは常用の手法となっている。これにより、脈管４４内にボーラス５４が供給される。脈管４４により血液が被検体１６の上体から下方の肢部へ流れている場合、流動の方向は、図２で見て左から右となる。心循環及び肺循環を通過した後に、ボーラス５４は、先ず走査ステーション４６に到達し、次いで走査ステーション４８に到達し、最後に走査ステーション５０に到達する。
【００１７】
ゼネラル・エレクトリック・カンパニィによる「ＳＭＡＲＴＰＲＥＰ」として商業的に公知の従来の手法（Radiology 誌、１９９７年、第２０３号、第２７５頁〜第２８０頁のFoo TKF 、Saranathan M、 Prince MR及びChenevert TLの「ガドリニウム強化型高速３次元ＭＲアンジオグラフィにおける自動化されたボーラス到達の検出及びデータ取得の開始（Automated detection of bolus arrival and initiation of data acquisition in fast, three dimensional, gadolinium-enhanced MR angiography）」に記載されている）によれば、走査ステーション４６を構成する視野に関して動脈血流の上流に脈管４４に隣接してモニタ５６が配置されており、この実例が図２に示されている。モニタ５６は、このモニタ５６に接近した関係にある脈管４４の小さな空間又は領域（図２には示されていない）内で励起されたＭＲ信号を周期的に検出する。検出されたＭＲ信号は、造影剤が走査ステーション４６内に位置している脈管４４の部分又はセグメントに流入したときに、所定の閾値水準に達する。この後直ちに、ステーション４６の走査が開始する。このような走査が完了したとき、ＭＲシステムは、走査ステーション４８からデータを取得し、次いで走査ステーション５０から取得するように逐次的に進行する。
【００１８】
前述したように、ボーラス５４が１つの走査ステーションから次のステーションへ移動するのに必要な時間は、正確にはわからず、患者によっても異なる。ボーラスの移動の変動によって、ＭＲ画像データはかなりの影響を蒙る可能性がある。目標の動脈にボーラスが到達する前にＭＲデータを取得すると、動脈の視覚化が不良になる（又はできなくなる）。同様に、ボーラスの通過の後にデータを取得すると、目標の動脈の最適な視覚化が得られない可能性がある。従って、ボーラスのタイミング（即ち、ボーラスをＭＲデータ取得と協働させる能力）が不正確であると、上述したような従来の走査手法における造影剤の利用の長所（及び効力）が大幅に低下し、又はガドリニウムのキレートの造影剤の量若しくは投与を増大させることが必要になる可能性がある。従って、これらの欠点を克服するためには、本発明の一実施例によれば、モニタ５８及び６０を脈管４４に接近した関係に、従って図２にそれぞれ示す位置に配置する。更に詳しく述べると、モニタ５８は、図２で見て、走査ステーション４８の左端の直ぐ右に配置され、モニタ６０は、走査ステーション５０の左端の直ぐ右に配置される。このようにして、モニタ５８及び６０は、ボーラス５４の到達をそれぞれ走査ステーション４８及び５０において検出する。モニタ５８及び６０は、動作及び構造についてはモニタ５６と同様のものでよい。また、アンジオグラフィ検査用の画像データの取得の前に、各々のモニタ毎にベースライン・データを取得する。ベースライン・データは、造影剤が存在しないときにそれぞれのモニタによって検出されるＭＲ信号のレベルを指示するものである。これらのデータから、各々のモニタについての閾値水準を予め設定しておいて、対応する走査位置におけるボーラスの到達を指示するようにすることができる。
【００１９】
ステーション４６又は４８からデータを取得している間にそれぞれ位置５８及び６０での信号を監視するために、位置５８又は６０をより良好に視覚化するようにテーブルを移動させてもよいことに留意されたい。更に、テーブルを移動させると、位置５８又は６０を大きな画像ＦＯＶ（視野）の端に置くことによる形状の歪みが最小限になる。
【００２０】
後で詳述するように、脈管４４に沿ったボーラス５４の進行を追跡することにより、本発明の方法では、走査ステーションへのボーラスの到達を検出したときに、このステーションにおける最も関連のある画像データを直ちに取得することができる。更に、この方法では、ボーラスが次に続くステーションに移行している間に走査ステーションにおけるデータ取得を続行することも可能にする。このようにして、本発明の方法は、末梢ＭＲアンジオグラフィにおける造影剤の利用を最適化する。
【００２１】
図３について説明すると、図３には、本発明の一実施例の方法でのモニタ５６〜６０の使用法を示す流れ図が示されている。処理ブロック６２及び６４によれば、それぞれのモニタの閾値レベルを最初に予め設定してから、モニタ５６を動作させて、第１の走査ステーション、即ち走査ステーション４６へのボーラス５４の到達を検出する。この後直ちに、ｎ個の走査ステーションの各々の内部に位置している脈管４４のセグメントに関して画像データの収集を開始するためのトリガ信号が発生する。図２は３つの走査ステーションしか示していないが、他の実施例では、走査ステーションの数ｎが実質的に更に大きくてもよいことは容易に明らかであろう。更に、図３の処理ブロック６６によって強調されているように、最初の第１のステーションを含めて各々の走査ステーションにおける最初のデータ取得は、中央ｋ空間データに限定されている、即ち低めの空間周波数のｋ空間に限定されている。このようなデータは、画像再構成において最も重要であり、約５秒〜１０秒の時間で、十分利用できるものとして取得される。
【００２２】
ｎ番目の走査ステーションについての中央ｋ空間データの取得の後に、判定ブロック６８によって、このｎ番目の走査ステーションがイメージング・シーケンスで最後のステーションであるか否かに関する判定を行う。最後のステーションでなければ、図３では処理ブロック７０及び判定ブロック７２によってまとめて示すように、走査ステーションｎ＋１についてのモニタ信号が検出され、ボーラス５４がこのステーションに到達したか否かを判定する。ボーラス５４が走査ステーションｎ＋１に到達していれば、前述したように、テーブル３６が動作して被検体１６を移動させ、走査ステーションｎ＋１でのデータ取得を開始することができるようにする。このような動作は、処理ブロック７４によって示されており、次いで、処理ブロック７６によって、関連するカウンタ（図示されていない）をｎからｎ＋１に設定し直す。この後直ちに、処理ブロック６６によって、更新後の走査ステーションにおいて中央ｋ空間データを取得する。
【００２３】
ブロック７２においてボーラスが走査ステーションｎ＋１に未だ到達していないものと判定されたら、判定ブロック７８による判定、即ち、ｎ番目の走査ステーションについてのデータ取得が完了したか否かを判定しなければならない。完了していなければ、処理ブロック８０によって示すように、走査ステーションｎに要求される次のループのｋ空間データを取得する。しかしながら、データ取得が完了していたら、処理ブロック８２の動作が実行され、即ち、信号対雑音比を向上させるために、ｎ番目の走査ステーションについての中央ｋ空間データを再び取得する。代替的には、空間分解能を高めるために、より高い空間周波数でデータを取得する。処理ブロック８０又は処理ブロック８２のいずれの動作が完了した場合にも、システムは処理ブロック７０に戻って、走査ステーションｎ＋１でのボーラスの到達について再度試験する。
【００２４】
更に図３を参照すると、処理ブロック８４は、最後の走査ステーションが判定ブロック６８によって識別された後に、この走査ステーションについてデータ取得が完了することを要求する。次いで、処理ブロック８６によって、未だ取得されていなかった残りのｋ空間データのすべてがそれぞれの走査ステーションについて取得される。処理ブロック８６の動作は一般的には、被検体１６を選択的に配置するテーブル３６の制御された移動を必要とする。残りのデータの取得が完了したら、図３の走査手順は終了する。ここに記載すると共に図３に示す実施例のそれぞれの工程及び手順は、これらの工程及び手順に従ってシステム１０の動作を指令する制御装置３４の電子回路を構成することにより容易に実現可能であることは直ちに明らかとなろう。
【００２５】
上述の本発明の実施例では、関心のある脈管の内部の小さな空間の上にモニタを配置する際に問題が生ずる可能性がある。図２に示すように、モニタ及びこれに関連する空間は、走査ステーションの端の付近に位置しており、従って、イメージング視野の端に位置している。その結果、モニタ空間がマグネットのアイソセンタから遠く離隔して配置されている可能性があるので、勾配の非線形性による影響を受ける。
【００２６】
図４には、関心のある脈管４４を切断するように取られていて、画像を構成するためのＭＲ信号データを得ようとする理想的なスライス選択スラブ８８が示されている。スラブ８８は、モニタの１つに隣接している血流の経路に沿った小さな領域を含んでいる空間９０を包含している。図４は更に、ＭＲ信号データが実際に取得されるスライス選択スラブ８８ａを示している。アイソセンタ４２から遠く離隔していると勾配磁場の非線形性が存在するため、スラブ８８ａの端部が彎曲して、意図した位置から離れてしまう。これに応じて、監視空間の実際の位置９０ａが、意図した空間位置９０から変位する。その結果、監視スラブに対応する周波数オフセットが不正確になり得る。これは、磁場の歪みを予め算出する「ＧＲＡＤＷＡＲＰ」として当業界で公知の手法の勾配パラメータを用いることにより補償することができる。すると、本発明の方法では、スライス選択周波数のオフセット及びスライス選択勾配の振幅を、上述の公知の手法に従って変更することができる。これにより、所定の監視空間を、所期の位置によりよく一致させることができる。ＧＲＡＤＷＡＲＰ法は、１９８７年１０月６日発行の米国特許第４，６９８，５９１号等の従来技術に記載されている。
【００２７】
監視空間を精密に局在化させるためのもう１つの方法は、スライス選択ＲＦパルス（スピン・エコー直交スライス選択勾配又は２次元（２Ｄ）円筒形ＲＦパルスのいずれか）の飽和効果を利用するものである。飽和領域は、監視空間の位置を指示する。正確な位置は、実時間取得シーケンスよりも前に追跡用又は監視空間選択用のパルス・シーケンスを先行させることにより迅速に識別され得る。このようにして、ユーザは、所望のステーションの付近又は周囲を動いて、これに応じて監視空間の周波数オフセットを調節することができる。
【００２８】
次に、図５について説明すると、図５には、それぞれの走査ステーションへのボーラスの到達を検出するために代替的な手段を用いる本発明の別の実施例を説明する流れ図が示されている。これにより、モニタ５６〜６０等のモニタの必要性及びこれに関連する欠点が実質的に解消される。これは、Radiology 誌、１９９７年、第２０５号、第１３７頁〜第１４６頁のWilman AH 及びRiederer SJ 等の「楕円中心ビュー順でのフルオロスコピー式トリガ型造影剤強化型３次元ＭＲアンジオグラフィ：腎動脈への応用（Fluoroscopically triggered contrast-enhanced three-dimensional MR angiography with elliptical centric view order: application to the renal arteries ）」に記載されている方法と類似したものである。
【００２９】
処理ブロック９２によって示すように、図５の方法は、第１の走査ステーション、即ち走査ステーション４６の短時間２次元投影画像を周期的に取得することにより開始する。ＭＲシステム１０の操作者は、このような走査ステーションにおいて造影剤で充填された脈管が見えるまで、それぞれの画像を物理的に目視する。この後直ちに、操作者は、処理ブロック６６によって、第１の走査ステーションにおける中央ｋ空間データの取得をトリガする。処理ブロック６６は、図３に関して前述した処理ブロック６６と同一である。次の判定ブロック６８も同様に、図３の判定ブロック６８と同一である。このように、最後のステーション以外の任意の走査ステーションについて中央ｋ空間データを取得した後に、ブロック９４によって示すボーラス追跡作用が開始される。このような作用は、処理ブロック９６及び９８、並びに判定ブロック１００を含んでいる。
【００３０】
この作用によれば、ｎ番目のステーションについての中央ｋ空間データの取得に続いて、各々のｋz エンコーディング・ループの終わりに（３次元高速ＧＲＥ取得において）、短時間２次元投影画像（好ましくは、１００ミリ秒〜２００ミリ秒の取得時間のエコー・トレイン又は類似のパルス・シーケンスを用いて）が走査ステーションｎ＋１において取得される（処理ブロック９６）。次いで、ｋy エンコーディング値が更新され、次のｋz ループのデータが取得される。このように、各々のｋy エンコーディング値毎に、次の走査ステーションにおける高速取得が実行される。高速２次元投影画像は、処理ブロック９８に従って、（Ｔacq ＋ｎz ＴＲ）の間隔で実時間で再構成され表示される。Ｔacq は、高速２次元画像の取得時間であり、ｎz はスライス・エンコーディング値の数である。判定ブロック１００に従って、操作者は表示された２次元画像を観察し、走査ステーションｎ＋１にある脈管が造影物質で充填されたか否かを判定する。充填されていれば、データ取得は、走査ステーションｎ＋１に移動する。充填されていなければ、データ取得は、図３に関して前述した判定ブロック７８、並びに処理ブロック８０及び８２に従って走査ステーションｎにおいて続行する。図５に示す残りのブロックも同様に、図３に関して前述した対応するブロックと同一である。
【００３１】
このようにして、図５の方法でわかるように、走査ステーションｎ＋１での脈管の目視による監視は、走査ステーションｎについてのｋ空間データの中央の核が取得された後に始めて開始する。これにより、カレントの走査ステーションでのデータが、脈管と静止組織との間での十分なコントラストを確実に有するようになる。走査ステーションｎ＋１での高速２次元投影画像の取得は、次の２つの方法のうち１つで達成され得る。第１の方法は、被検体１６を走査ステーションｎ＋１に配置するように、テーブル３６を完全に移動させるものである。第２の方法は、テーブルをこのような走査ステーションに向かって中途まで移動させるものである。手順の選択は一般的には、テーブルの移動速度に依存する。
【００３２】
Radiology 誌、１９９８年、第２０６号、第２８３頁〜第２８９頁のKim J 、Farb G及びWright Gによる「監視走査：ガドリウム強化型ダイナミックＭＲアンジオグラフィでの頚動脈における試験ボーラス検査（Sentinel scan: Test bolus examination in the carotid artery at dynamic gadolinium enhanced MR angiography ）」に記載されているように、以上に述べた２つのアプローチ又は実施例を組み合わせて、造影剤のボーラスの到達の検出のための視覚的且つ自動化された方法を提供し得ることにも留意されたい。
【００３３】
明らかに、以上の教示に照らして、本発明のその他の多くの改変及び変形が可能である。従って、開示された概念の範囲内で本発明を具体的に記載された以外の方法で実施してもよいことを理解されたい。
【図面の簡単な説明】
【図１】本発明を実行するのに用いられるＭＲシステムの基本的な構成要素を示す概略構成図である。
【図２】本発明に従って末梢ＭＲアンジオグラフィ検査を行うための配置を示す概略構成図である。
【図３】本発明の一実施例を示す流れ図である。
【図４】図３の実施例に関連する勾配の非線形性の影響を示す概略図である。
【図５】本発明の代替的な実施例を示す流れ図である。
【符号の説明】
１０    ＭＲシステム
１２    ＲＦ送信コイル
１４    円筒形マグネット
１６    被検体
１８、２０、２２    勾配コイル
２４、２６、２８    勾配増幅器
３０    送信増幅器
３２    パルス・シーケンス制御
３４    システム制御及びデータ処理装置
３６    テーブル
３８    受信増幅器
４０    ＲＦコイル
４２    アイソセンタ
４４    脈管領域
４６、４８、５０    走査ステーション
５４    ボーラス
５６、５８、６０    モニタ
【図１】
0004354578.tif 000002
【図２】
0004354578.tif 000003
【図３】
0004354578.tif 000004
【図４】
0004354578.tif 000005
【図５】
0004354578.tif 000006